(57)【要約】      （修正有）【課題】仕掛け糸を結着することなく、仕掛け糸を迅速に容易に確実に装着することができる釣糸装着具を提供する。【解決手段】釣糸装着具は装着体１と装着具本体１０と筒状体１４とを備える。装着体１には嵌挿部４を備える。装着体１に貫通孔５を設け、先端に釣糸取付孔６を有する金属性の軸棒７を貫通孔５に貫通して取付ける。釣糸取付孔６に仕掛け糸９を貫通し、編み付け部２０に結着して、仕掛け糸９に装着体１を備える。装着具本体１０には嵌挿孔１３を備える。装着具本体１０には穂先軸心方向を回転軸として回転する筒状体１４を回転自在に環装する。筒状体１４の側面には四角形状に切取られるように形成された開口部を備える。釣りをする時は筒状体１４を回転して、嵌挿孔１３を開き、仕掛け糸９に備えた装着体１の嵌挿部４を嵌挿孔１３に嵌挿する。そして、筒状体１４を回転して嵌挿孔１３を閉鎖することによって、装着体１を装着具本体１０に装着する。【選択図】図２
2008220352.tif 000002
【特許請求の範囲】
【請求項１】
釣竿の穂先先端側に設けられる装着具本体と、
仕掛け糸に取付けるための取付手段を有し、その取付手段により仕掛け糸に備えられる装着部材と、
前記装着部材または前記装着具本体に設けられ、前記装着部材と前記装着具本体とを着脱自在に装着する装着手段と
を少なくとも備えることを特徴とする釣糸装着具。
【請求項２】
前記装着手段は、前記装着具本体または前記装着部材のいずれか一方に設けられた嵌挿部と、
他方に設けられ、前記嵌挿部と嵌合することにより、または、他方に設けられ、前記嵌挿部を挿入する挿入部を有し、挿入した前記嵌挿部を内部に保持することにより、前記嵌挿部と着脱可能に装着する装着部とを備えることを含むことを特徴とする請求項１に記載の釣糸装着具。
【請求項３】
前記装着手段は、前記装着部材を備える仕掛け糸に所定以上の張力が加わると、装着された前記装着部材を分離させる分離手段を備えることを特徴とする請求項１または請求項２に記載の釣糸装着具。
【請求項４】
前記装着手段は、前記装着具本体または前記装着部材に設けられ、前記装着部と前記嵌挿部との装着状態を、分離可能と分離不能とに変更可能な切替え手段をさらに備えることを特徴とする請求項１乃至請求項３のいずれか１項に記載の釣糸装着具。
【請求項５】
前記切替え手段は、前記装着具本体または前記装着部材に外環され、穂先軸心方向に移動可能、または穂先軸心を回転軸として回転可能な筒状部材を備え、
前記筒状部材の移動、または回転して、前記装着部または前記嵌挿部の所定部位を被覆し保持することにより、前記装着部と前記嵌挿部との装着状態を分離不能にすることを含むことを特徴とする請求項４に記載の釣糸装着具。
【請求項６】
前記切替え手段は、前記装着具本体または前記装着部材のいずれか一方に形成された係合部と、
他方に設けられ、前記装着部に前記嵌挿部を装着させたとき、前記係合部に係合する係止爪部と、
前記装着具本体または前記装着部材に設けられ、前記係合部に係合した前記係止爪部を前記係合部から脱離させる脱離手段とを備えることを含むことを特徴とする請求項４に記載の釣糸装着具。
【請求項７】
前記装着具本体または前記筒状部材に設けられ、前記嵌挿部と前記装着部とが分離不能時に、前記筒状部材の移動または回転を抑止する抑止手段を備えることを特徴とする請求項５に記載の釣糸装着具。
【請求項８】
前記取付手段、前記装着部材、前記装着手段、または前記装着具本体は、前記装着部材の装着時に、仕掛け糸の回転に応じて回転する回転手段を備えることを特徴とする請求項１乃至請求項７のいずれか１項に記載の釣糸装着具。
【請求項９】
穂先側先端に請求項１乃至請求項８のいずれか１項に記載の釣糸装着具を備える釣竿。
【発明の詳細な説明】
【技術分野】
【０００１】  本発明は、釣竿の穂先側先端に設けられ、仕掛け糸を取付ける釣糸装着具に関する。
【背景技術】
【０００２】  従来の釣竿は、その穂先先端側に設けられた、一般にヘビ口と呼ばれる編み糸状の釣糸結着具を備えている。そして、釣り人は、このヘビ口の先端に仕掛け糸の端部を結着して釣りを行なう。ここで、仕掛け糸とは、浮き，おもり，釣針等が取付けられた釣糸のことである（以下、単に釣糸とした場合には、仕掛け糸に用いられている釣糸のことを示す）。仕掛け糸は、不使用時、仕掛け糸巻きに巻きつけられて保管される。【０００３】  ヘビ口への結び方としては、一般にチチワ結びや投げ縄結び等によって行なわれ、仕掛け糸を取外すときには、釣糸の所定部位を引張ることにより結び目が緩んでヘビ口から容易に取外すことができる。予め、仕掛け糸には、チチワ結びや投げ縄結び等の結び目が施され、すぐにヘビ口に結着可能な状態になっている。このように、釣糸結着具を釣竿に設けることにより、釣糸を切断することなく仕掛け糸の着脱を繰り返し行なうことができる。
【発明の開示】
【発明が解決しようとする課題】
【０００４】  従来の釣糸結着具では、釣りをするたびに繰り返し釣糸をヘビ口に結着するため、釣糸の結着部位に、捩れ、変形、または傷等が生じてその部位が劣化してしまう。このままの状態で仕掛け糸を使用していると、仕掛け糸に負荷が加わったとき、劣化した部位が突然切れてしまうおそれがある。また、劣化した部分を切断してヘビ口に結着すると、切断によって仕掛け糸が徐々に短くなってしまい、何度か使用すると仕掛け糸を作り直さなければならなくなる。また、ヘビ口への結着の仕方が悪いと、結着部位が緩んでヘビ口から仕掛け糸が外れてしまうおそれもある。【０００５】  そこで、仕掛け糸を結着することなく、仕掛け糸を迅速に容易に確実に装着することができる釣糸装着具を提供することを課題とする。
【課題を解決するための手段】
【０００６】  本発明にかかる釣糸装着具は、「釣竿の穂先先端側に設けられる装着具本体と、仕掛け糸に取付けるための取付手段を有し、その取付手段により仕掛け糸に備えられる装着部材と、前記装着部材または前記装着具本体に設けられ、前記装着部材と前記装着具本体とを着脱自在に装着する装着手段とを少なくとも備える」ものである。【０００７】  ここで、「取付手段」とは、釣糸を貫通させる孔部、釣糸を結付けるための環部を有する軸棒、または釣糸を嵌め込んで固定するＶ字溝等を設け、それらに釣糸を結着したり、嵌め込んだり、巻きつけたり等して仕掛け糸を取付ける手段を示す。【０００８】  本発明によれば、予め、仕掛け糸には、取付手段により仕掛け糸に取付けられた装着部材を備えている。ここで、「予め」とは、例えば、釣針やおもり等を釣糸に備えて仕掛け糸を作る際に装着部材を備える等を意味する。仕掛け糸を着脱するときは、釣竿の穂先側先端に固定されている装着具本体に、仕掛け糸に備えられた装着部材を装着手段により装着したり、取外したりする。したがって、従来のように仕掛け糸を取付けるたびに行なっていた、ヘビ口への釣糸の結着が不要となり、迅速に容易に仕掛け糸を着脱することができる。また、各仕掛け糸毎に装着部材を備えることにより、仕掛け糸の交換が迅速に容易にできる。そして、仕掛け糸の交換にかかる時間も短縮でき、従来の釣糸結着具のように、釣糸の不十分な結着によって仕掛け糸が釣竿から外れるようなトラブルの発生を防止できる。【０００９】  また、本発明の釣糸装着具において、「前記装着手段は、前記装着具本体または前記装着部材のいずれか一方に設けられた嵌挿部と、他方に設けられ、前記嵌挿部と嵌合することにより、または、他方に設けられ、前記嵌挿部を挿入する挿入部を有し、挿入した前記嵌挿部を内部に保持することにより、前記嵌挿部と着脱可能に装着する装着部とを備える」構成とすることもできる。【００１０】  ここで、「嵌挿部」には、凸状部、螺子部、雄螺子を外周に螺刻した管部、バネ等により付勢された突起部等を含み、「装着部」には、嵌挿部を装着可能な凹状部、螺子孔、孔部、または溝部、または雌螺子を内周に螺刻した円筒部等を含む。「嵌挿部」と「装着部」との組合せは、装着部材と前記装着具本体とを着脱可能に装着することができる組合せであれば、どのような組合せであってもよい。また、装着部材全体が嵌挿部または装着部である場合も含む。【００１１】  これによれば、嵌挿部は、挿入部から挿入して装着部内部に保持することにより、または、装着部に嵌合することにより、装着部と着脱可能に装着される。よって、仕掛け糸は釣糸装着具を介して釣竿に取付けられることになる。これにより仕掛け糸を結着することなく、誰でも迅速に容易に確実に仕掛け糸を釣竿に取付けることが可能になる。【００１２】  ところで、仕掛け糸に張力が加わると、仕掛け糸に備えられた装着部材に伝わり、装着部材を装着した装着具本体を介してその張力が釣竿に伝わる。そのため、例えば、仕掛け糸が高い木の枝に引っ掛かり、釣竿を強引に引張って外そうとした場合、所定以上の張力が釣竿に加わり、釣竿を損傷させるようなおそれがある。【００１３】  そこで、本発明の釣糸��着具において、「前記装着手段は、前記装着部材を備える仕掛け糸に所定以上の張力が加わると、装着された前記装着部材を分離させる分離手段を備える」構成とすることもできる。【００１４】  これによれば、所定以上の張力、例えば、釣竿を損傷させるような張力が仕掛け糸に加わると、その張力が仕掛け糸に備えられた装着部材にも加わる。すると、装着手段に備えられた分離手段は、装着部材と装着具本体を分離する。これによって、釣竿の損傷を防止することができる。【００１５】  また、本発明の釣糸装着具において、「前記装着手段は、前記装着具本体または前記装着部材に設けられ、前記装着部と前記嵌挿部との装着状態を、分離可能と分離不能とに変更可能な切替え手段をさらに備える」構成とすることもできる。【００１６】  これによれば、装着部材を装着具本体に装着する場合には、嵌挿部を挿入部から挿入し装着部内部で保持し、または、嵌挿部を装着部と嵌合させて装着する。切替え手段により、嵌挿部と装着部との装着状態を分離不能に変更すると、分離不能が継続する限り、装着部材と装着具本体との装着状態が継続する。よって、仕掛け糸を釣糸装着具を介して釣竿に装着することができる。装着部材を装着具本体から取外す場合には、切替え手段により、装着状態を分離可能に変更する。すると、装着部と嵌挿部とが分離可能になり、装着部材と装着具本体とを分離することができる。【００１７】  また、本発明の釣糸装着具において、「前記切替え手段は、前記装着具本体または前記装着部材に外環され、穂先軸心方向に移動可能、または穂先軸心を回転軸として回転可能な筒状部材を備え、前記筒状部材の移動、または回転して、前記装着部または前記嵌挿部の所定部位を被覆し保持することにより、前記装着部と前記嵌挿部との装着状態を分離不能にすることを含む」構成とすることもできる。【００１８】  ここで、「筒状部材」には、断面形状が円形に限らず、楕円形，多角形等のものも含み、さらに、その側面部に開口部や空隙を備えたものも含む。【００１９】  これによれば、装着状態を分離不能にする場合には、外環された筒状部材の移動または回転によって前記装着部または前記嵌挿部の所定部位を被覆し保持する。すると、筒状部材が、挿入部を封鎖し、または、前記装着部と前記嵌挿部とを挟持または把持して前記装着部と前記嵌挿部とを脱着不能にする。分離可能にする場合には、筒状部材の移動または回転によって、所定部位を被覆しない位置に筒状部材を位置させる。すると、筒状部材が、挿入部を開鎖し、または、前記装着部と前記嵌挿部とを挟持しなくなり、または把持しなくなり、前記装着部と前記嵌挿部とを脱着可能にする。このように筒状部材の移動または回転という単純な動作によって分離可能と分離不能とを変更することができる。【００２０】また、本発明の釣糸装着具において、「前記切替え手段は、前記装着具本体または前記装着部材のいずれか一方に形成された係合部と、他方に設けられ、前記装着部に前記嵌挿部を装着させたとき、前記係合部に係合する係止爪部と、前記装着具本体または前記装着部材に設けられ、前記係合部に係合した前記係止爪部を前記係合部から脱離させる脱離手段とを備える」構成とすることもできる。��００２１】  これによれば、装着部材を装着具本体に装着する場合には、嵌挿部を挿入部から挿入し、装着部に装着させる。そして、同時に係合部に係止爪部が係合する。このように係合している間は装着部材を装着具本体から取外すことができない。装着部材を装着具本体から取外す場合には、脱離手段によって、係止爪部を係合部から脱離させる。すると、嵌挿部と装着部とが分離可能となり装着部材を装着具本体から取外すことができる。【００２２】  また、本発明の釣糸装着具において、「前記装着具本体または前記筒状部材に設けられ、前記嵌挿部と前記装着部とが分離不能時に、前記筒状部材の移動または回転を抑止する抑止手段を備える」構成を加えることもできる。【００２３】  これによれば、前記嵌挿部と前記装着部とが分離不能時に、筒状部材の移動または回転が抑止される。このため、所定内の力、例えば、仕掛け糸の張力が筒状部材にかかる等して、竿尻方向へ押し下げる力が加わったり、釣竿の穂先が大きく振れたり振動したりして筒状部材を移動または回転させる力、が加わったとしても、筒状部材が勝手に移動または回転するのを防止できる。【００２４】  また、本発明の釣糸装着具において、「前記取付手段、前記装着部材、前記装着手段、または前記装着具本体は、前記装着部材の装着時に、仕掛け糸の回転に応じて回転する回転手段を備える」構成を加えることもできる。【００２５】  これによれば、装着部材、装着具本体、または装着手段は回転手段を備えている。そのため、装着部材を装着具本体に装着したとき、装着具本体に装着した装着部材または、取付手段によって取付けられた仕掛け糸が回転する。装着部材または仕掛け糸の自由な回転により、装着部材を備えた仕掛け糸による穂先への絡み、または縒れが解かれる。そのため、穂先に仕掛け糸が絡んだり、縒れたりしなくなり、釣竿を扱いやすくすることができる。【００２６】  また、本発明にかかる釣竿は、「穂先側先端に上記記載の釣糸装着具を備える」ものである。
【発明の効果】
【００２７】  このように、本発明の釣糸装着具、または釣糸装着具を備えた釣竿を用いると、従来の釣糸結着具と違い、仕掛け糸の結着を不要とし、迅速に容易に確実に仕掛け糸を装着することができる。また、仕掛け糸の結着が不要となるため、捩れ、変形、または傷等による釣糸の劣化を防止でき、仕掛け糸を長期間使い続けることができる。
【発明を実施するための最良の形態】
【００２８】（第１実施形態）
以下、本発明を具体化した一実施形態を図１乃至図４に基づき説明する。図１は仕掛け糸に備える、装着部材としての装着体１の形状を示し、図３は装着具本体１０の形状を示している。図４は装着体１を仮想線で示した釣糸装着具の形状を示している。図２は、図４のＡ−Ａ断面における釣糸装着具の断面形状を示している。【００２９】  図２に示すように釣糸装着具は、装着体１と装着具本体１０と筒状体１４とを備えている。図１に示すように装着体１は、半径の異なる３つの円柱体を最小径のものを中心にして連結した形状に形成され、最大径を有する円柱体面に凹面部２を有している。図２に示すように、その凹面部２に対する裏面には、円柱状の凹部３が形成されている。ここで、最大径を有する円柱体を除く残りの円柱体部分が、装着具本体１０に装着するための嵌挿部４となる。装着体１の材質は、金属，合成樹脂等どのようなものであってもよい。【００３０】  凹面部２から凹部３に貫通する貫通孔５が設けられ、その貫通孔５には、先端に釣糸取付孔６を有する金属性の軸棒７が貫通して回転可能に取付けられている。軸棒７の端部には、凹部３に収まる大きさの円板状の係止板８が形成され、軸棒７が貫通孔５から脱離するのを防止している。釣糸取付孔６、軸棒７、係止板８、及び貫通孔５は、取付手段として機能する。【００３１】  図３に示すように装着具本体１０は円柱形状を有し、図２に示すようにその一方には細長く形成された円柱状の挿入軸棒１１を備えている。その挿入軸棒１１を釣竿１２の穂先先端から穂先軸方向に嵌装することにより、装着具本体１０が釣竿１２に取付けられている。図３に示すように装着具本体１０には、側面方向から装着体１の嵌挿部４を挿入可能であり、遊嵌できるような型に模った、装着部としての嵌挿孔１３が形成されている。装着具本体１０の材質は、金属，合成樹脂等どのようなものであってもよい。【００３２】  図２に示すように装着具本体１には、穂先軸心方向を回転軸として回転する、切替え手段としての筒状体１４が環装されている。筒状体１４の縁部は軸心方向に曲成された曲成部１５を有し、装着具本体１の外周に形成された溝部１６に係合し、筒状体１４の脱離を防止している。筒状体１４の側面には、四角形状に切取られたように形成された開口部１７が備えられている。筒状体１４には、係止孔１８が設けられ、装着具本体１０には、凸起部１９が形成されている。係止孔１８と凸起部１９とは、抑止手段として機能し、筒状体１４が回転して嵌挿孔１３の側面部を閉鎖した状態のとき、ちょうど係合し、所定の力が加わらないと筒状体１４は回転せず、筒状体１４の自由な回転を妨げるようになっている。筒状体１４の材質は、金属，合成樹脂等どのようなものであってもよい。【００３３】  次に、上記のように構成された本実施形態の作用及び効果について説明する。
不使用時に仕掛け糸９は、仕掛け糸巻きに巻きつけられ、持ち運ばれる。図１に示すように、装着体１は、釣糸９の端部を釣糸取付孔６に貫通させ、編み付け部２０に結着することにより仕掛け糸９に備えられている。編み付け部２０は、移動と固定とが可能なように釣糸９に編み付けられたものであり、この編み付け部２０を移動させることによって、仕掛け糸９全体の長さを希望する長さに調整することができる。【００３４】  釣りを始めるために仕掛け糸９を釣竿１２の穂先先端に装着するときには、図３に示すように筒状体１４を回転させる。開口部１７と嵌挿孔１３の側面部とを合わせる。装着体１の嵌装部４を嵌挿孔１３に挿入し、筒状体１４を回転させ、嵌挿孔１３の側面部を閉鎖する。これにより、嵌挿部４が嵌挿孔１３から分離不能となる。このとき、凸起部１９と係止孔１８とが係合し、筒状体１４に所定の力が加わらないと筒状体１４は回転できなくなる。そして、図４の仮想線で示すように装着体１が装着具本体１０に装着される。そして、仕掛け糸９が釣糸装着具を介して釣竿１２に取付けられ、釣りを始めることが可能となる。このように、仕掛け糸９を結着することなく、迅速に容易に確実に釣竿１２に取付けることができる。【００３５】  また、嵌挿部４は、嵌挿孔１３に遊嵌されており、自由回転が可能である。そのため、装着体１は、装着体１を備えた仕掛け糸９の回転に応じて回転する。また、軸棒７も仕掛け糸９の回転に応じて回転する。そのため、仕掛け糸９が回転すると、その回転に応じて軸棒７または装着体１は自由に回転し、仕掛け糸９の捩れや縒れを解消することができる。【００３６】  仕掛け糸９を取外すときには、上述とは逆の手順で行なう。すなわち、筒状体１４に所定以上の力を加えて回転させ、凸起部１９と係止孔１８とを分離する。筒状体１４をさらに回転させ、嵌挿孔１３の側面部と開口部１７とを合わせる。そして、装着体１を装着具本体１０の側面方向へ移動させると嵌挿部４が嵌挿孔１３から脱離し、装着体１を装着具本体１０から取外すことができる。仕掛け糸９は、取外された装着体１を備えたままの状態で仕掛け糸巻きに巻きつけられ保管される。このため、次に釣りを始めるとき、仕掛け糸９に備えられた装着体１を迅速に容易に装着することができる。【００３７】  したがって、本実施形態の釣糸装着具１０を利用すれば、釣りを始めるとき、仕掛け糸９を釣竿１２に取付ける際、従来の釣糸結着具と違って、釣糸を結着する作業を省くことができ、誰でも迅速に容易に仕掛け糸の装着ができる。そして、釣糸の結着が不要なため、結着による捩れ、変形、または傷等が生じない。また、仕掛け糸の釣竿への結着方法を知らない人でも本実施形態の釣糸装着具を用いると容易に釣竿に仕掛け糸を装着することができる。また、装着された装着体１は、自由に回転できる状態であり、また、軸棒７も自由回転可能である。そのため、釣竿１２に巻きついた仕掛け糸９も装着体１または軸棒７の回転により解消することができる。【００３８】  また、上述した実施形態に変えて、別の構成にすることもできる。例えば、装着体に嵌挿孔を形成し、装着具本体に嵌挿孔に嵌挿する嵌挿部を形成するようにしてもよい。また、筒状体を装着体に回��自在に備えるようにしてもよい。【００３９】（第２実施形態）
以下、本発明を具体化した一実施形態を図５乃至図８に基づき説明する。図５は仕掛け糸９に備えた、装着部材としての装着体１ａの形状を示している。図６は、図５のＢ−Ｂ断面における装着体１ａの断面形状を示している。図７は装着具本体１０ａの形状を示し、図８は装着体１ａを仮想線で示した釣糸装着具の形状を示している。【００４０】  図５及び図７に示すように釣糸装着具は、装着体１ａと装着体本体１０ａと筒状体１４ａとを備えている。図５に示すように装着体１ａは、円柱体と、その円柱体の径よりも小さい球体部４ａとをその球体部４ａの径よりも小さい円柱形状の連結部２１で連結した形状に形成されている。球体部４ａ及び連結部２１は装着具本体１０ａに装着するための嵌挿部として機能する。最大径の円柱体の面には凹面部２ａが形成され、その凹面部２ａに一部を突き出すように球体７ａが遊嵌されている。図６に示すように球体７ａには、貫通する釣糸取付孔６ａが形成され、釣糸取付孔６ａの両端には、円柱状の凹部３ａが形成されている。そして、装着体１ａには、凹部３ａと同径の孔部２５が形成され，釣糸取付孔６ａを穂先長手方向に向けると、釣糸取付孔６ａと孔部２５とが一直線上につながり、釣糸９を釣糸取付孔６ａと孔部２５とに貫通させることができるようになっている。装着体１ａの材質は、金属，合成樹脂等どのようなものであってもよい。【００４１】  図７及び図８に示すように装着具本体１０ａは、穂先長手方向に形成された４つの間隙２６を有する筒状の保持部２７と、その径よりも小さい円柱体部２８と、円柱体の径よりも大きい円板状の円板部２９を連結した形状に形成されている。保持部２７は、装着体１ａを内部に保持する保持空間部１３ａを内部に備え、端部に球体部４ａの挿入口３０を備えている。そして、第１実施形態の装着具本体と同様にして、図２に示すようにその一方には細長く形成された円柱状の挿入軸部を有し、その挿入軸部を釣竿１２の穂先先端から軸方向に嵌装することにより、装着具本体１０ａが釣竿１２に取付けられている。【００４２】  保持部２７は金属製であり、４つの間隙２６を有しているため、挿入口３０は、球体部４ａが挿入可能な大きさまで拡開するようになっている。そして、挿入口３０の径は、球体部４ａに連結する連結部２１の径よりわずかに大きくに形成され、保持空間部１３ａの径は球体部４ａの径よりわずかに大きく形成され、球体部４ａが保持空間部１３ａに遊嵌されるようになっている。装着具本体１０ａの材質には、金属が用いられているが、合成樹脂等どのようなものであってもよい。【００４３】  装着具本体１０ａには、筒状体１４ａが穂先軸方向に移動可能に外環され、その縁部が曲成した曲成部を有している。そして、曲成部は、保持部２７と円柱体部２８との連結部分に係止され、筒状体１４ａの脱離を防止している。筒状体１４ａと円板部２９とに付勢して筒状体１４ａを穂先前方へ自動的に移動させるばね３１が円柱体部２８に環装されている。【００４４】  次に、上記のように構成された本実施形態の作用及び効果について説明する。
図６に示すように仕掛け糸９には装着体１ａが備えられている。つまり、球体７ａの釣糸取付孔６ａに釣糸９を貫通させ、さらに孔部２５にも貫通させる。そして、貫通した釣糸端部に係止結び２０ａを作り、釣糸９を球体７ａ方向に引張り、係止結び２０ａを凹部３ａに係止させ、装着体１ａを仕掛け糸９に備えさせる。このとき、凹部３ａが釣糸取付孔６ａの両端に設けられているため、釣糸取付孔６ａのどちらの方向からでも釣糸９を貫通させて取付けることができる。ここで、凹部３ａ、孔部２５、釣糸取付孔６ａは取付手段として機能している。このようにして装着体１ａを備えた仕掛け糸９は、仕掛け糸巻きに巻きつけられ、保管される。【００４５】  釣りを始めるために仕掛け糸９を釣竿１２の穂先先端に装着するときには、図８に示す状態から図７に示すように筒状体１４ａを竿尻方向へ移動させ、筒状体１４ａが元の位置に移動しないように筒状体１４ａを手で持って支持する。挿入口３０から保持空間部１３ａ内に球体部４ａを押込もうとすると、挿入口３０は、球体部４ａが挿入可能な大きさまで拡開し、球体部４ａが保持空間部１３ａに入り込む。装着体１ａの保持空間部１３ａへの挿入後、筒状体１４ａから手を離し、筒状体１４ａを開放すると、図８に示すようにばね３１に付勢された筒状体１４ａが穂先方向へ自動的に移動する。筒状体１４ａの移動によって、保持部２７の側面部が筒状体１４ａに保持され、挿入口３０の拡開を抑止する。これにより、挿入口３０から挿入された装着体１ａが保持空間部１３ａ内に封止され、図８の仮想線で示すように、装着体１ａを装着具本体１０ａに装着することができる。そして、仕掛け糸９が釣糸装着具を介して釣竿１２に取付けられ、釣りを始めることができる。【００４６】  また、図８に示すように、筒状体１４ａ先端内周と保持部２７先端外周との間に隙間を有しており、保持部２７先端付近は筒状体１４ａによって保持されていない。そのため、あまりにも強力な力、例えば、釣竿１２を損傷させるほどの力が仕掛け糸９に加えられたとき、挿入口３０が拡開して球体部４ａが保持空間部１３ａから抜け出て、装着体１ａが装着具本体１０ａから脱離する。このように、筒状体１４ａ先端内周と保持部２７先端外周との間の隙間は、分離手段としての機能を有し、仕掛け糸９が根がかりしたりや障害物に引っ掛かったりする等して釣竿１２に強い負荷がかかった場合でも釣竿１２が損傷するのを防止することができる。【００４７】  仕掛け糸９を取外すときには、上述とは逆の手順で行なう。すなわち、図８に示す状態から図７に示すように筒状体１４ａを竿尻方向へ移動させ、筒状体１４ａが元の位置に戻らないよう筒状体１４ａを手で持って支持する。装着体１ａの円柱部分を持って穂先先端方向へ引張ると挿入口３０が拡開して球体部４ａが保持空間部１３ａから脱離する。そして、仕掛け糸９を釣竿１２から取外すことができる。【００４８】  したがって、本実施形態のを利用すれば、第１実施形態の効果に加え、上述のように嵌挿部が球体状に形成されていれば、別の装着体を装着することができる。例えば、図１３の装着体１ｄを装着することもできる。【００４９】  また、上述の構成に変えて図９に示すように、弾性を有す��材質、例えば、合成樹脂等により形成された保持部２７ｂを用いることもできる。この場合には、間隙２６が不要となる。装着体１ｄを装着する場合には、保持部２７ｂが弾性を有する材質であるため、装着体１ｄの挿入時に挿入口３０ｂが拡開して保持空間部１３ｂへの挿入が可能になる。そして、挿入後、挿入口３０ｂの大きさ、形状が元の状態に戻る。そして、筒状体１４ｂを穂先方向へ移動させると、図１０に示すように挿入口３０ｂの側面周囲が筒状体１４ｂによって包囲され、挿入口３０ｂの変形ができなくなる。そのため、挿入口３０ｂから装着体１ｄを引出そうとしても脱着できなくなり、装着体１ｄを装着具本体１０ｂに装着することができる。【００５０】  また、上述した第２実施形態の釣糸装着具と同様に分離手段を備えさせることもできる。すなわち、釣竿が損傷するような強い力が装着体に加わった場合、装着されている装着体１ｄが保持部２７ｂから抜け出るようにしてもよい。例えば、保持部２７ｂに変えて、装着体１ｄが保持部２７ｂから抜け出るような弾性力を有する材質のものにしたり、上述したように筒状体１４ｂの先端内周と保持部２７ｂ先端外周との間に隙間を有する形状に形成したものにしたり、挿入口３０ｂの穂先長手方向の厚さを、装着体１ｄが保持部２７ｂから抜け出るような厚さにしたものにしたりしてもよい。【００５１】  また、図９に示すように筒状体１４ｂ内周と装着具本体１０ｂとに螺刻部３２，３３を形成した構成にすることもできる。すなわち、筒状体１４ｂを穂先先端方向へ移動し、右回転して螺刻部３２，３３を螺合して回転し、図１０に示すように回転できなくなるまで移動させるようにしてもよい。また、図１０に示すように移動させた筒状体１４ｂの端部が保持部２７ｂより長く突出するようにしてもよい。例えば、上述した第２実施形態について、このように筒状体１４ａを保持部２７より長くすると、図１３の装着体１ｄを図７の保持部２７に装着した場合に、保持部２７の間隙２６に装着体１ｄを備えた仕掛け糸９が挟まるのを防止することができる。【００５２】  また、図１１に示すように仕掛け糸９に結着して備えられた装着体１ｃの嵌挿部外周に螺刻された螺刻部４ｃと、図１２に示すように装着具本体１０ｃに回転自在に設けられた筒状体１４ｃ内周に羅刻された羅刻部３０ｃを備えさせてもよい。つまり、筒状体１４ｃを回転させることにより、嵌挿部が筒状体１４ｃ内にねじ込まれるように構成してもよい。【００５３】（第３実施形態）
以下、本発明を具体化した一実施形態を図１３乃至図１５に基づき説明する。図１３は仕掛け糸９に備えた、装着部材としての装着体１ｄの形状を示している。図１４は装着具本体１０ｄの形状を示し、図１５は釣糸装着具の形状を示している。【００５４】  図１３に示すように装着体１ｄは球形であり、円柱形上の凹部８ｄが形成されている。また、装着体１ｄの中心を通り、凹部８ｄに貫通する釣糸取付孔６ｄが形成されている。図１４に示すように装着具本体１０ｄは、筒状に形成され、第１実施形態で上述したのと同様にして、図２に示すようにその一方には細長く形成された円柱状の挿入軸部を有し、その挿入軸部を釣竿穂先先端から軸方向に嵌装することにより、装着具本体１０ｄが釣竿１２に取付けられている。【００００】  図１５に示すように装着具本体１０ｄの側面には、装着体１ｄの径よりも大きい円形の挿入口３０ｄが形成され、装着具本体１０ｄの端部には、装着具本体１０ｄの径より大きい円形の保持板３５が設けられている。その中心部には、装着体１ｄより小さい径の釣糸貫通口３６が設けられている。そして、図１５の仮想線で示すように装着具本体１０ｄには、挿入口３０ｄと釣糸貫通口３６とにわたって連絡口３７が形成されている。装着具本体の側面には凸部１９ｄが設けられている。【００５５】  図１４に示すように装着具本体１０ｄには、筒状の筒状体１４ｄが穂先長手方向に移動可能に外環されている。筒状体１４ｄの縁部には、曲成した曲成部１６ｄを有し、筒状体１４ｄが脱離しないよう保持板３５に曲成部１６ｄが係合している。筒状体１４ｄの側面部には、釣竿１２の長手方向に連絡口３７と同じ幅の空隙３９が形成され、その一端には、円形状に形成され、凸部１９ｄに係合する係止部１８ｄを有している。筒状体１４ｄの端部には、扇状の封鎖板４０が設けられている。【００５６】  次に、上記のように構成された本実施形態の作用及び効果について説明する。
第１実施形態で前述したように、装着体１ｄは仕掛け糸９の製作の段階ですでに仕掛け糸９に備えられている。すなわち、図１に示すように装着体１ｄは、釣糸９を釣糸取付孔６ｄに貫通し、凹部８ｄに貫通した釣糸９に係止結び２０ｄをして仕掛け糸６に備えられている。ここで、貫通した釣糸９が装着体１ｄから脱離しないように接着剤で釣糸９の係止結び２０ｄを凹部８ｄに固定してあってもよい。【００５７】  仕掛け糸９を釣竿１２に装着する場合には、図１４に示すように筒状体１４ｄを穂先先端方向へ移動し、連絡口３７と空隙３９とを合わせ、挿入口３０ｄを開放する。そして、釣糸９を穂先先端方向へ張った状態で挿入口３０ｄから装着体１ｄを挿入し、連絡口３７から釣糸９を挿入し、図１５に示すように釣糸貫通口３６から釣糸９が貫通する状態にする。筒状体１４ｄを竿尻方向へ移動させ、仮想線で示す挿入口３０ｄを閉鎖する。それと同時に、筒状体１４ｄを回転させ、係止部１９ｄと凸部１８ｄとを係合させる。このとき、仮想線で示すように連絡口３７は封鎖板４０によって閉鎖される。よって、仕掛け糸９を釣糸装着具を介して釣竿１２に装着することができる。このように仕掛け糸９を結着することなく容易に取付けることができる。また、釣糸９の方向が穂先側先端方向へ向くようになり、仕掛け糸９が釣竿１２に絡みつくのを防止することができる。【００５８】  仕掛け糸９を取外すときには、図１４に示すように筒状体１４ｄを穂先先端方向へ移動し、連絡口３７と空隙３９とを合わせながら挿入口３０ｄを開く。そして、装着体１ｄを挿入口３０ｄから引出すと、装着体１ｄが脱離し、容易に仕掛け糸９を釣竿１２から取外すことができる。【００５９】  したがって、本実施形態の釣糸装着具を利用すれば、第１実施形態と同様の効果が得られるとともに、装着体１ｄが単純な構造であり、部品数が少ないため、装着体１ｄを安価で製造できる。また、適当な径を有する、がん玉やかみつぶし等のおもりを装着体として使用できるようにしてもよい。また、筒状体１４ｄが竿尻方向へ移動して挿入口３０ｄを閉鎖する構造であるため、筒状体１４ｄが穂先先端方向に移動して挿入口３０ｄが開くのを防止でき、不意に装着体１ｄが脱離するトラブルの発生を防ぐことができる。【００６０】また、上述した実施形態に変えて、例えば、図１６に示すように構成することもできる。すなわち、図１６の釣糸装着具は、装着体１ｅと、装着具本体１０ｅとを備えている。仕掛け糸９に備えられた装着体１ｅは、筒状に形成された筒状部１４ｅに、釣糸取付孔６ｅを有する球体７ｅが遊嵌され、筒状部内部に係止環４９が嵌挿して固定されている。筒状部１４ｅの側面には、穂先側部分を残してコ状に切取られ、軸心から離れる方向へ張出すように形成された、脱離手段としての押込み部５０と、押込み部５０が張出すことによって形成された係合部５１とが備えられている。装着具本体１０ｅは、筒形状に形成され、その外径は前記装着体１ｅの内径と同じ径であって、側面に竿尻側部分を残してコ状に切取られ、穂先側に前記係合部５１に係合する係合爪５２を形成した係止板部５３を備えている。【００６１】  装着体１ｅを装着具本体１０ｅに装着する場合には、装着体１ｅを装着具���体１０ｅの先端が係止環４９に係止されるまで嵌挿する。すると、係合部５１に係合爪５２が係合し、装着体１ｅの装着が完了する。装着体１ｅを取外す場合には、押込み部５０を押すと、係止板部５３が内部方向へ湾曲して係合部５１から係合爪５２が脱離する。その状態を保ったまま、装着体１ｅを引き抜くと装着体１ｅを装着具本体１０ｅから取外すことができる。
【図面の簡単な説明】
【００６２】
【図１】第１実施形態に係る装着体の斜視図である。
【図２】第１実施形態に係る装着体の断面図である。
【図３】第１実施形態に係る装着具本体の斜視図である。
【図４】第１実施形態に係る釣糸装着具の斜視図である。
【図５】第２実施形態に係る装着体の斜視図である。
【図６】第２実施形態に係る装着体の断面図である。
【図７】第２実施形態に係る装着具本体の斜視図である。
【図８】第２実施形態に係る釣糸装着具の斜視図である。
【図９】一実施例を示す装着具本体の斜視図である。
【図１０】装着体装着時における図９の装着具本体の斜視図である。
【図１１】一実施例に係る装着体の斜視図である。
【図１２】一実施例に係る装着具本体の斜視図である。
【図１３】第３実施形態に係る装着体の斜視図である。
【図１４】第３実施形態に係る装着具本体の斜視図である。
【図１５】第３実施形態に係る釣糸装着具の斜視図である。
【図１６】一実施例を示す釣糸装着具の斜視図である。
【符号の説明】
【００６３】    １  装着体
４  嵌挿部
６  釣糸取付孔
９  仕掛け糸
１０  装着具本体
１２  釣竿
１３  嵌挿孔
１４  筒状体
１７  開口部
【図１】
2008220352.tif 000003
【図２】
2008220352.tif 000004
【図３】
2008220352.tif 000005
【図４】
2008220352.tif 000006
【図５】
2008220352.tif 000007
【図６】
2008220352.tif 000008
【図７】
2008220352.tif 000009
【図８】
2008220352.tif 000010
【図９】
2008220352.tif 000011
【図１０】
2008220352.tif 000012
【図１１】
2008220352.tif 000013
【図１２】
2008220352.tif 000014
【図１３】
2008220352.tif 000015
【図１４】
2008220352.tif 000016
【図１５】
2008220352.tif 000017
【図１６】
2008220352.tif 000018
【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
釣竿の穂先先端側に設けられる装着具本体と、
仕掛け糸に取付けるための取付手段を球体に有し、その取付手段により仕掛け糸に備えられる、前記球体を備えた装着部材と、
前記装着部材または前記装着具本体に設けられ、前記球体が穂先先端に位置するように、前記装着部材と前記装着具本体とを着脱自在に装着する装着手段と
を備え、
前記球体は、前記装着部材の装着時に、前記球体に取付けた仕掛け糸の回転または向きに応じて回転することを特徴とする釣糸装着具。
【請求項２】
前記装着手段は、前記装着具本体または前記装着部材のいずれか一方に設けられた嵌挿部と、
他方に設けられ、前記嵌挿部と嵌合することにより、または、他方に設けられ、前記嵌挿部を挿入する挿入部を有し、挿入した前記嵌挿部を内部に保持することにより、前記嵌挿部と着脱可能に装着する装着部と
を備えることを特徴とする請求項１に記載の釣糸装着具。
【請求項３】
釣竿の穂先先端側に設けられる装着具本体と、
仕掛け糸に取付けるための取付手段を有し、その取付手段により仕掛け糸に備えられる、球形である装着部材と、
前記装着部材または前記装着具本体に設けられ、前記装着部材が穂先先端に位置するように、前記装着部材と前記装着具本体とを着脱自在に装着する装着手段と
を備え、
前記装着部材は、前記装着部材の装着時に、前記装着部材に取付けた仕掛け糸の回転または向きに応じて回転することを特徴とする釣糸装着具。
【請求項４】
前記装着手段は、前記装着具本体に設けられ、前記装着部材と嵌合することにより、または、前記装着部材を挿入する挿入部を有し、挿入した前記装着部材を内部に保持することにより、前記装着部材と着脱可能に装着する装着部を備えることを特徴とする請求項３に記載の釣糸装着具。
【請求項５】
前記装着手段は、前記装着部材を備える仕掛け糸に所定以上の張力が加わると、前記装着具本体に装着された前記装着部材を前記装着具本体から分離する分離手段を備えることを特徴とする請求項１乃至請求項４のいずれか１項に記載の釣糸装着具。
【請求項６】
穂先側先端に請求項１乃至請求項５のいずれか１項に記載の釣糸装着具を備える釣竿。
【手続補正２】
【補正対象書類名】明細書
【補正対象項目名】全文
【補正方法】変更
【補正の内容】
【発明の詳細な説明】
【技術分野】
【０００１】
本発明は、釣竿の穂先側先端に設けられ、仕掛け糸を取付ける釣糸装着具に関する。
【背景技術】
【０００２】
従来の釣竿は、その穂先先端側に設けられた、一般にヘビ口と呼ばれる編み糸状の釣糸結着具を備えている。そして、釣り人は、このヘビ口の先端に仕掛け糸の端部を結着して釣りを行なう。ここで、仕掛け糸とは、浮き，おもり，釣針等が取付けられた釣糸のことである（以下、単に釣糸とした場合には、仕掛け糸に用いられている釣糸のことを示す）。仕掛け糸は、不使用時、仕掛け糸巻きに巻きつけられて保管される。
【０００３】
ヘビ口への結び方としては、一般にチチワ結びや投げ縄結び等によって行なわれ、仕掛け糸を取外すときには、釣糸の所定部位を引張ることにより結び目が緩んでヘビ口から容易に取外すことができる。予め、仕掛け糸には、チチワ結びや投げ縄結び等の結び目が施され、すぐにヘビ口に結着可能な状態になっている。このように、釣糸結着具を釣竿に設けることにより、釣糸を切断することなく仕掛け糸の着脱を繰り返し行なうことができる。
【発明の開示】
【発明が解決しようとする課題】
【０００４】
従来の釣糸結着具では、釣りをするたびに繰り返し釣糸をヘビ口に結着するため、釣糸の結着部位に、捩れ、変形、または傷等が生じてその部位が劣化してしまう。このままの状態で仕掛け糸を使用していると、仕掛け糸に負荷が加わったとき、劣化した部位が突然切れてしまうおそれがある。また、劣化した部分を切断してヘビ口に結着すると、切断によって仕掛け糸が徐々に短くなってしまい、何度か使用すると仕掛け糸を作り直さなければならなくなる。また、ヘビ口への結着の仕方が悪いと、結着部位が緩んでヘビ口から仕掛け糸が外れてしまうおそれもある。
【０００５】
そこで、仕掛け糸を結着することなく、仕掛け糸を迅速に容易に確実に装着することができる釣糸装着具を提供することを課題とする。
【課題を解決するための手段】
【０００６】
本発明にかかる釣糸装着具は、「釣竿の穂先先端側に設けられる装着具本体と、仕掛け糸に取付けるための取付手段を球体に有し、その取付手段により仕掛け糸に備えられる、前記球体を備えた装着部材と、前記装着部材または前記装着具本体に設けられ、前記球体が穂先先端に位置するように、前記装着部材と前記装着具本体とを着脱自在に装着する装着手段とを備え、前記球体は、前記装着部材の装着時に、前記球体に取付けた仕掛け糸の回転または向きに応じて回転する」ものである。
【０００７】
ここで、「取付手段」とは、釣糸を貫通させる孔部、釣糸を結付けるための環部を有する軸棒、または釣糸を嵌め込んで固定するV字溝等を球体に設け、それらに釣糸を結着したり、嵌め込んだり、巻きつけたり等して仕掛け糸を取付ける手段を示す。
【０００８】
本発明によれば、予め、仕掛け糸には、取付手段により仕掛け糸に取付けられた装着部材を備えている。ここで、「予め」とは、例えば、釣針やおもり等を釣糸に備えて仕掛け糸を作る際に装着部材を備える等を意味する。仕掛け糸を着脱するときは、釣竿の穂先側先端に固定されている装着具本体に、仕掛け糸に備えられた装着部材を装着手段により装着したり、取外したりする。したがって、従来のように仕掛け糸を取付けるたびに行なっていた、ヘビ口への釣糸の結着が不要となり、迅速に容易に仕掛け糸を着脱することができる。また、各仕掛け糸毎に装着部材を備えることにより、仕掛け糸の交換が迅速に容易にできる。そして、仕掛け糸の交換にかかる時間も短縮でき、従来の釣糸結着具のように、釣糸の不十分な結着によって仕掛け糸が釣竿から外れるようなトラブルの発生を防止できる。また、装着部材を装着具本体に装着したとき、装着具本体に装着した、装着部材に備えられた球体が回転する。球体の自由な回転により、装着部材を備えた仕掛け糸による穂先への絡み、または縒れが解かれる。そのため、穂先に仕掛け糸が絡んだり、縒れたりしなくなり、釣竿を扱いやすくすることができる。
【０００９】
また、本発明の釣糸装着具において、「前記装着手段は、前記装着具本体または前記装着部材のいずれか一方に設けられた嵌挿部と、他方に設けられ、前記嵌挿部と嵌合することにより、または、他方に設けられ、前記嵌挿部を挿入する挿入部を有し、挿入した前記嵌挿部を内部に保持することにより、前記嵌挿部と着脱可能に装着する装着部とを備える」構成とすることもできる。
【００１０】
ここで、「嵌挿部」には、凸状部、螺子部、雄螺子を外周に螺刻した管部、バネ等により付勢された突起部等を含み、「装着部」には、嵌挿部を装着可能な凹状部、螺子孔、孔部、または溝部、または雌螺子を内周に螺刻した円筒部等を含む。「嵌挿部」と「装着部」との組合せは、装着部材と前記装着具本体とを着脱可能に装着することができる組合せであれば、どのような組合せであってもよい。また、装着部材全体が嵌挿部または装着部である場合も含む。
【００１１】
これによれば、嵌挿部は、挿入部から挿入して装着部内部に保持することにより、または、装着部に嵌合することにより、装着部と着脱可能に装着される。よって、仕掛け糸は釣糸装着具を介して釣竿に取付けられることになる。これにより仕掛け糸を結着することなく、誰でも迅速に容易に確実に仕掛け糸を釣竿に取付けることが可能になる。
【００１２】
また、本発明にかかる釣糸装着具は、「釣竿の穂先先端側に設けられる装着具本体と、仕掛け糸に取付けるための取付手段を有し、その取付手段により仕掛け糸に備えられる、球形である装着部材と、前記装着部材または前記装着具本体に設けられ、前記装着部材が穂先先端に位置するように、前記装着部材と前記装着具本体とを着脱自在に装着する装着手段とを備え、前記装着部材は、前記装着部材の装着時に、前記装着部材に取付けた仕掛け糸の回転または向きに応じて回転する」ものである。
【００１３】
本発明によれば、予め、仕掛け糸には、取付手段により仕掛け糸に取付けられた装着部材を備えている。ここで、「予め」とは、例えば、釣針やおもり等を釣糸に備えて仕掛け糸を作る際に装着部材を備える等を意味する。仕掛け糸を着脱するときは、釣竿の穂先側先端に固定されている装着具本体に、仕掛け糸に備えられた装着部材を装着手段により装着したり、取外したりする。したがって、従来のように仕掛け糸を取付けるたびに行なっていた、ヘビ口への釣糸の結着が不要となり、迅速に容易に仕掛け糸を着脱することができる。また、各仕掛け糸毎に装着部材を備えることにより、仕掛け糸の交換が迅速に容易にできる。そして、仕掛け糸の交換にかかる時間も短縮でき、従来の釣糸結着具のように、釣糸の不十分な結着によって仕掛け糸が釣竿から外れるようなトラブルの発生を防止できる。また、装着部材を装着具本体に装着したとき、装着具本体に装着した、球形である装着部材が回転する。装着部材の自由な回転により、装着部材を備えた仕掛け糸による穂先への絡み、または縒れが解かれる。そのため、穂先に仕掛け糸が絡んだり、縒れたりしなくなり、釣竿を扱いやすくすることができる。また、装着部材が単純な構造であり、部品数が少ないため、装着部材を安価で製造できる。
【００１４】
また、本発明の釣糸装着具において、「前記装着手段は、前記装着具本体に設けられ、前記装着部材と嵌合することにより、または、前記装着部材を挿入する挿入部を有し、挿入した前記装着部材を内部に保持することにより、前記装着部材と着脱可能に装着する装着部を備える」構成とすることもできる。
【００１５】
ここで、「装着部」には、装着部材を装着可能な凹状部、孔部、または円筒部等を含む。
【００１６】
これによれば、装着部材は、挿入部から挿入して装着部内部に保持することにより、または、装着部に嵌合することにより、装着部と着脱可能に装着される。よって、仕掛け糸は釣糸装着具を介して釣竿に取付けられることになる。これにより仕掛け糸を結着することなく、誰でも迅速に容易に確実に仕掛け糸を釣竿に取付けることが可能になる。
【００１７】
ところで、仕掛け糸に張力が加わると、仕掛け糸に備えられた装着部材に伝わり、装着部材を装着した装着具本体を介してその張力が釣竿に伝わる。そのため、例えば、仕掛け糸が高い木の枝に引っ掛かり、釣竿を強引に引張って外そうとした場合、所定以上の張力が釣竿に加わり、釣竿を損傷させるようなおそれがある。
【００１８】
そこで、本発明の釣糸装着具において、「前記装着手段は、前記装着部材を備える仕掛け糸に所定以上の張力が加わると、前記装着具本体に装着された前記装着部材を前記装着具本体から分離する分離手段を備える」構成とすることもできる。
【００１９】
これによれば、所定以上の張力、例えば、釣竿を損傷させるような張力が仕掛け糸に加わると、その張力が仕掛け糸に備えられた装着部材にも加わる。すると、装着手段に備えられた分離手段は、装着部材を装着具本体から分離する。これによって、釣竿の損傷を防止することができる。
【００２０】
また、本発明にかかる釣竿は、「穂先側先端に上記記載の釣糸装着具を備える」ものである。
【発明の効果】
【００２１】
このように、本発明の釣糸装着具、または釣糸装着具を備えた釣竿を用いると、従来の釣糸結着具と違い、仕掛け糸の結着を不要とし、迅速に容易に確実に仕掛け糸を装着することができる。また、仕掛け糸の結着が不要となるため、捩れ、変形、または傷等による釣糸の劣化を防止でき、仕掛け糸を長期間使い続けることができる。
【発明を実施するための最良の形態】
【００２２】
（第１実施形態）
以下、本発明を具体化した一実施形態を図１乃至図４に基づき説明する。図１は仕掛け糸に備える、装着部材としての装着体１の形状を示し、図３は装着具本体１０の形状を示している。図４は装着体１を仮想線で示した釣糸装着具の形状を示している。図２は、図４のＡ−Ａ断面における釣糸装着具の断面形状を示している。
【００２３】
図２に示すように釣糸装着具は、装着体１と装着具本体１０と筒状体１４とを備えている。図１に示すように装着体１は、半径の異なる３つの円柱体を最小径のものを中心にして連結した形状に形成され、最大径を有する円柱体面に凹面部２を有している。図２に示すように、その凹面部２に対する裏面には、円柱状の凹部３が形成されている。ここで、最大径を有する円柱体を除く残りの円柱体部分が、装着具本体１０に装着するための嵌挿部４となる。装着体１の材質は、金属，合成樹脂等どのようなものであってもよい。
【００２４】
凹面部２から凹部３に貫通する貫通孔５が設けられ、その貫通孔５には、先端に釣糸取付孔６を有する金属性の軸棒７が貫通して回転可能に取付けられている。軸棒７の端部には、凹部３に収まる大きさの円板状の係止板８が形成され、軸棒７が貫通孔５から脱離するのを防止している。釣糸取付孔６、軸棒７、係止板８、及び貫通孔５は、取付手段として機能する。
【００２５】
図３に示すように装着具本体１０は円柱形状を有し、図２に示すようにその一方には細長く形成された円柱状の挿入軸棒１１を備えている。その挿入軸棒１１を釣竿１２の穂先先端から穂先軸方向に嵌装することにより、装着具本体１０が釣竿１２に取付けられている。図３に示すように装着具本体１０には、側面方向から装着体１の嵌挿部４を挿入可能であり、遊嵌できるような型に模った、装着部としての嵌挿孔１３が形成されている。装着具本体１０の材質は、金属，合成樹脂等どのようなものであってもよい。
【００２６】
図２に示すように装着具本体１には、穂先軸心方向を回転軸として回転する、切替え手段としての筒状体１４が環装されている。筒状体１４の縁部は軸心方向に曲成された曲成部１５を有し、装着具本体１の外周に形成された溝部１６に係合し、筒状体１４の脱離を防止している。筒状体１４の側面には、四角形状に切取られたように形成された開口部１７が備えられている。筒状体１４には、係止孔１８が設けられ、装着具本体１０には、凸起部１９が形成されている。係止孔１８と凸起部１９とは、抑止手段として機能し、筒状体１４が回転して嵌挿孔１３の側面部を閉鎖した状態のとき、ちょうど係合し、所定の力が加わらないと筒状体１４は回転せず、筒状体１４の自由な回転を妨げるようになっている。筒状体１４の材質は、金属，合成樹脂等どのようなものであってもよい。
【００２７】
次に、上記のように構成された本実施形態の作用及び効果について説明する。
不使用時に仕掛け糸９は、仕掛け糸巻きに巻きつけられ、持ち運ばれる。図１に示すように、装着体１は、釣糸９の端部を釣糸取付孔６に貫通させ、編み付け部２０に結着することにより仕掛け糸９に備えられている。編み付け部２０は、移動と固定とが可能なように釣糸９に編み付けられたものであり、この編み付け部２０を移動させることによって、仕掛け糸９全体の長さを希望する長さに調整することができる。
【００２８】
釣りを始めるために仕掛け糸９を釣竿１２の穂先先端に装着するときには、図３に示すように筒状体１４を回転させる。開口部１７と嵌挿孔１３の側面部とを合わせる。装着体１の嵌装部４を嵌挿孔１３に挿入し、筒状体１４を回転させ、嵌挿孔１３の側面部を閉鎖する。これにより、嵌挿部４が嵌挿孔１３から分離不能となる。このとき、凸起部１９と係止孔１８とが係合し、筒状体１４に所定の力が加わらないと筒状体１４は回転できなくなる。そして、図４の仮想線で示すように装着体１が装着具本体１０に装着される。そして、仕掛け糸９が釣糸装着具を介して釣竿１２に取付けられ、釣りを始めることが可能となる。このように、仕掛け糸９を結着することなく、迅速に容易に確実に釣竿１２に取付けることができる。
【００２９】
また、嵌挿部４は、嵌挿孔１３に遊嵌されており、自由回転が可能である。そのため、装着体１は、装着体１を備えた仕掛け糸９の回転に応じて回転する。また、軸棒７も仕掛け糸９の回転に応じて回転する。そのため、仕掛け糸９が回転すると、その回転に応じて軸棒７または装着体１は自由に回転し、仕掛け糸９の捩れや縒れを解消することができる。
【００３０】
仕掛け糸９を取外すときには、上述とは逆の手順で行なう。すなわち、筒状体１４に所定以上の力を加えて回転させ、凸起部１９と係止孔１８とを分離する。筒状体１４をさらに回転させ、嵌挿孔１３の側面部と開口部１７とを合わせる。そして、装着体１を装着具本体１０の側面方向へ移動させると嵌挿部４が嵌挿孔１３から脱離し、装着体１を装着具本体１０から取外すことができる。仕掛け糸９は、取外された装着体１を備えたままの状態で仕掛け糸巻きに巻きつけられ保管される。このため、次に釣りを始めるとき、仕掛け糸９に備えられた装着体１を迅速に容易に装着することができる。
【００３１】
したがって、本実施形態の釣糸装着具１０を利用すれば、釣りを始めるとき、仕掛け糸９を釣竿１２に取付ける際、従来の釣糸結着具と違って、釣糸を結着する作業を省くことができ、誰でも迅速に容易に仕掛け糸の装着ができる。そして、釣糸の結着が不要なため、結着による捩れ、変形、または傷等が生じない。また、仕掛け糸の釣竿への結着方法を知らない人でも本実施形態の釣糸装着具を用いると容易に釣竿に仕掛け糸を装着することができる。また、装着された装着体１は、自由に回転できる状態であり、また、軸棒７も自由回転可能である。そのため、釣竿１２に巻きついた仕掛け糸９も装着体１または軸棒７の回転により解消することができる。
【００３２】
また、上述した実施形態に変えて、別の構成にすることもできる。例えば、装着体に嵌挿孔を形成し、装着具本体に嵌挿孔に嵌挿する嵌挿部を形成するようにしてもよい。また、筒状体を装着体に回転自在に備えるようにしてもよい。
【００３３】
（第２実施形態）
以下、本発明を具体化した一実施形態を図５乃至図８に基づき説明する。図５は仕掛け糸９に備えた、装着部材としての装着体１ａの形状を示している。図６は、図５のＢ−Ｂ断面における装着体１ａの断面形状を示している。図７は装着具本体１０ａの形状を示し、図８は装着体１ａを仮想線で示した釣糸装着具の形状を示している。
【００３４】
図５及び図７に示すように釣糸装着具は、装着体１ａと装着体本体１０ａと筒状体１４ａとを備えている。図５に示すように装着体１ａは、円柱体と、その円柱体の径よりも小さい球体部４ａとをその球体部４ａの径よりも小さい円柱形状の連結部２１で連結した形状に形成されている。球体部４ａ及び連結部２１は装着具本体１０ａに装着するための嵌挿部として機能する。最大径の円柱体の面には凹面部２ａが形成され、その凹面部２ａに一部を突き出すように球体７ａが遊嵌されている。図６に示すように球体７ａには、貫通する釣糸取付孔６ａが形成され、釣糸取付孔６ａの両端には、円柱状の凹部３ａが形成されている。そして、装着体１ａには、凹部３ａと同径の孔部２５が形成され，釣糸取付孔６ａを穂先長手方向に向けると、釣糸取付孔６ａと孔部２５とが一直線上につながり、釣糸９を釣糸取付孔６ａと孔部２５とに貫通させることができるようになっている。装着体１ａの材質は、金属，合成樹脂等どのようなものであってもよい。
【００３５】
図７及び図８に示すように装着具本体１０ａは、穂先長手方向に形成された４つの間隙２６を有する筒状の保持部２７と、その径よりも小さい円柱体部２８と、円柱体の径よりも大きい円板状の円板部２９を連結した形状に形成されている。保持部２７は、装着体１ａを内部に保持する保持空間部１３ａを内部に備え、端部に球体部４ａの挿入口３０を備えている。そして、第１実施形態の装着具本体と同様にして、図２に示すようにその一方には細長く形成された円柱状の挿入軸部を有し、その挿入軸部を釣竿１２の穂先先端から軸方向に嵌装することにより、装着具本体１０ａが釣竿１２に取付けられている。
【００３６】
保持部２７は金属製であり、４つの間隙２６を有しているため、挿入口３０は、球体部４ａが挿入可能な大きさまで拡開するようになっている。そして、挿入口３０の径は、球体部４ａに連結する連結部２１の径よりわずかに大きくに形成され、保持空間部１３ａの径は球体部４ａの径よりわずかに大きく形成され、球体部４ａが保持空間部１３ａに遊嵌されるようになっている。装着具本体１０ａの材質には、金属が用いられているが、合成樹脂等どのようなものであってもよい。
【００３７】
装着具本体１０ａには、筒状体１４ａが穂先軸方向に移動可能に外環され、その縁部が曲成した曲成部を有している。そして、曲成部は、保持部２７と円柱体部２８との連結部分に係止され、筒状体１４ａの脱離を防止している。筒状体１４ａと円板部２９とに付勢して筒状体１４ａを穂先前方へ自動的に移動させるばね３１が円柱体部２８に環装されている。
【００３８】
次に、上記のように構成された本実施形態の作用及び効果について説明する。
図６に示すように仕掛け糸９には装着体１ａが備えられている。つまり、球体７ａの釣糸取付孔６ａに釣糸９を貫通させ、さらに孔部２５にも貫通させる。そして、貫通した釣糸端部に係止結び２０ａを作り、釣糸９を球体７ａ方向に引張り、係止結び２０ａを凹部３ａに係止させ、装着体１ａを仕掛け糸９に備えさせる。このとき、凹部３ａが釣糸取付孔６ａの両端に設けられているため、釣糸取付孔６ａのどちらの方向からでも釣糸９を貫通させて取付けることができる。ここで、凹部３ａ、孔部２５、釣糸取付孔６ａは取付手段として機能している。このようにして装着体１ａを備えた仕掛け糸９は、仕掛け糸巻きに巻きつけられ、保管される。
【００３９】
釣りを始めるために仕掛け糸９を釣竿１２の穂先先端に装着するときには、図８に示す状態から図７に示すように筒状体１４ａを竿尻方向へ移動させ、筒状体１４ａが元の位置に移動しないように筒状体１４ａを手で持って支持する。挿入口３０から保持空間部１３ａ内に球体部４ａを押込もうとすると、挿入口３０は、球体部４ａが挿入可能な大きさまで拡開し、球体部４ａが保持空間部１３ａに入り込む。装着体１ａの保持空間部１３ａへの挿入後、筒状体１４ａから手を離し、筒状体１４ａを開放すると、図８に示すようにばね３１に付勢された筒状体１４ａが穂先方向へ自動的に移動する。筒状体１４ａの移動によって、保持部２７の側面部が筒状体１４ａに保持され、挿入口３０の拡開を抑止する。これにより、挿入口３０から挿入された装着体１ａが保持空間部１３ａ内に封止され、図８の仮想線で示すように、装着体１ａを装着具本体１０ａに装着することができる。そして、仕掛け糸９が釣糸装着具を介して釣竿１２に取付けられ、釣りを始めることができる。
【００４０】
また、図８に示すように、筒状体１４ａ先端内周と保持部２７先端外周との間に隙間を有しており、保持部２７先端付近は筒状体１４ａによって保持されていない。そのため、あまりにも強力な力、例えば、釣竿１２を損傷させるほどの力が仕掛け糸９に加えられたとき、挿入口３０が拡開して球体部４ａが保持空間部１３ａから抜け出て、装着体１ａが装着具本体１０ａから脱離する。このように、筒状体１４ａ先端内周と保持部２７先端外周との間の隙間は、分離手段としての機能を有し、仕掛け糸９が根がかりしたりや障害物に引っ掛かったりする等して釣竿１２に強い負荷がかかった場合でも釣竿１２が損傷するのを防止することができる。
【００４１】
仕掛け糸９を取外すときには、上述とは逆の手順で行なう。すなわち、図８に示す状態から図７に示すように筒状体１４ａを竿尻方向へ移動させ、筒状体１４ａが元の位置に戻らないよう筒状体１４ａを手で持って支持する。装着体１ａの円柱部分を持って穂先先端方向へ引張ると挿入口３０が拡開して球体部４ａが保持空間部１３ａから脱離する。そして、仕掛け糸９を釣竿１２から取外すことができる。
【００４２】
したがって、本実施形態の釣糸装着具を利用すれば、第１実施形態の効果に加え、上述のように嵌挿部が球体状に形成されていれば、別の装着体を装着することができる。例えば、図１３の装着体１ｄを装着することもできる。
【００４３】
また、上述の構成に変えて図９に示すように、弾性を有する材質、例えば、合成樹脂等により形成された保持部２７ｂを用いることもできる。この場合には、間隙２６が不要となる。装着体１ｄを装着する場合には、保持部２７ｂが弾性を有する材質であるため、装着体１ｄの挿入時に挿入口３０ｂが拡開して保持空間部１３ｂへの挿入が可能になる。そして、挿入後、挿入口３０ｂの大きさ、形状が元の状態に戻る。そして、筒状体１４ｂを穂先方向へ移動させると、図１０に示すように挿入口３０ｂの側面周囲が筒状体１４ｂによって包囲され、挿入口３０ｂの変形ができなくなる。そのため、挿入口３０ｂから装着体１ｄを引出そうとしても脱着できなくなり、装着体1ｄを装着具本体１０ｂに装着することができる。
【００４４】
また、上述した第２実施形態の釣糸装着具と同様に分離手段を備えさせることもできる。すなわち、釣竿が損傷するような強い力が装着体に加わった場合、装着されている装着体１ｄが保持部２７ｂから抜け出るようにしてもよい。例えば、保持部２７ｂに変えて、装着体１ｄが保持部２７ｂから抜け出るような弾性力を有する材質のものにしたり、上述したように筒状体１４ｂの先端内周と保持部２７ｂ先端外周との間に隙間を有する形状に形成したものにしたり、挿入口３０ｂの穂先長手方向の厚さを、装着体１ｄが保持部２７ｂから抜け出るような厚さにしたものにしたりしてもよい。
【００４５】
また、図９に示すように筒状体１４ｂ内周と装着具本体１０ｂとに螺刻部３２，３３を形成した構成にすることもできる。すなわち、筒状体１４ｂを穂先先端方向へ移動し、右回転して螺刻部３２，３３を螺合して回転し、図１０に示すように回転できなくなるまで移動させるようにしてもよい。また、図１０に示すように移動させた筒状体１４ｂの端部が保持部２７ｂより長く突出するようにしてもよい。例えば、上述した第２実施形態について、このように筒状体１４ａを保持部２７より長くすると、図１３の装着体１ｄを図７の保持部２７に装着した場合に、保持部２７の間隙２６に装着体１ｄを備えた仕掛け糸９が挟まるのを防止することができる。
【００４６】
また、図１１に示すように仕掛け糸９に結着して備えられた装着体１ｃの嵌挿部外周に螺刻された螺刻部４ｃと、図１２に示すように装着具本体１０ｃに回転自在に設けられた筒状体１４ｃ内周に羅刻された羅刻部３０ｃを備えさせてもよい。つまり、筒状体１４ｃを回転させることにより、嵌挿部が筒状体１４ｃ内にねじ込まれるように構成してもよい。
【００４７】
（第３実施形態）
以下、本発明を具体化した一実施形態を図１３乃至図１５に基づき説明する。図１３は仕掛け糸９に備えた、装着部材としての装着体１ｄの形状を示している。図１４は装着具本体１０ｄの形状を示し、図１５は釣糸装着具の形状を示している。
【００４８】
図１３に示すように装着体１ｄは球形であり、円柱形上の凹部８ｄが形成されている。また、装着体１ｄの中心を通り、凹部８ｄに貫通する釣糸取付孔６ｄが形成されている。図１４に示すように装着具本体１０ｄは、筒状に形成され、第１実施形態で上述したのと同様にして、図２に示すようにその一方には細長く形成された円柱状の挿入軸部を有し、その挿入軸部を釣竿穂先先端から軸方向に嵌装することにより、装着具本体１０ｄが釣竿１２に取付けられている。
【００４９】
図１５に示すように装着具本体１０ｄの側面には、装着体１ｄの径よりも大きい円形の挿入口３０ｄが形成され、装着具本体１０ｄの端部には、装着具本体１０ｄの径より大きい円形の保持板３５が設けられている。その中心部には、装着体１ｄより小さい径の釣糸貫通口３６が設けられている。そして、図１５の仮想線で示すように装着具本体１０ｄには、挿入口３０ｄと釣糸貫通口３６とにわたって連絡口３７が形成されている。装着具本体の側面には凸部１９ｄが設けられている。
【００５０】
図１４に示すように装着具本体１０ｄには、筒状の筒状体１４ｄが穂先長手方向に移動可能に外環されている。筒状体１４ｄの縁部には、曲成した曲成部１６ｄを有し、筒状体１４ｄが脱離しないよう保持板３５に曲成部１６ｄが係合している。筒状体１４ｄの側面部には、釣竿１２の長手方向に連絡口３７と同じ幅の空隙３９が形成され、その一端には、円形状に形成され、凸部１９ｄに係合する係止部１８ｄを有している。筒状体１４ｄの端部には、扇状の封鎖板４０が設けられている。
【００５１】
次に、上記のように構成された本実施形態の作用及び効果について説明する。
第１実施形態で前述したように、装着体１ｄは仕掛け糸９の製作の段階ですでに仕掛け糸９に備えられている。すなわち、図１に示すように装着体１ｄは、釣糸９を釣糸取付孔６ｄに貫通し、凹部８ｄに貫通した釣糸９に係止結び２０ｄをして仕掛け糸６に備えられている。ここで、貫通した釣糸９が装着体１ｄから脱離しないように接着剤で釣糸９の係止結び２０ｄを凹部８ｄに固定してあってもよい。
【００５２】
仕掛け糸９を釣竿１２に装着する場合には、図１４に示すように筒状体１４ｄを穂先先端方向へ移動し、連絡口３７と空隙３９とを合わせ、挿入口３０ｄを開放する。そして、釣糸９を穂先先端方向へ張った状態で挿入口３０ｄから装着体１ｄを挿入し、連絡口３７から釣糸９を挿入し、図１５に示すように釣糸貫通口３６から釣糸９が貫通する状態にする。筒状体１４ｄを竿尻方向へ移動させ、仮想線で示す挿入口３０ｄを閉鎖する。それと同時に、筒状体１４ｄを回転させ、係止部１９ｄと凸部１８ｄとを係合させる。このとき、仮想線で示すように連絡口３７は封鎖板４０によって閉鎖される。よって、仕掛け糸９を釣糸装着具を介して釣竿１２に装着することができる。このように仕掛け糸９を結着することなく容易に取付けることができる。また、釣糸９の方向が穂先側先端方向へ向くようになり、仕掛け糸９が釣竿１２に絡みつくのを防止することができる。
【００５３】
仕掛け糸９を取外すときには、図１４に示すように筒状体１４ｄを穂先先端方向へ移動し、連絡口３７と空隙３９とを合わせながら挿入口３０ｄを開く。そして、装着体１ｄを挿入口３０ｄから引出すと、装着体１ｄが脱離し、容易に仕掛け糸９を釣竿１２から取外すことができる。
【００５４】
したがって、本実施形態の釣糸装着具を利用すれば、第１実施形態と同様の効果が得られるとともに、装着体１ｄが単純な構造であり、部品数が少ないため、装着体１ｄを安価で製造できる。また、適当な径を有する、がん玉やかみつぶし等のおもりを装着体として使用できるようにしてもよい。また、筒状体１４ｄが竿尻方向へ移動して挿入口３０ｄを閉鎖する構造であるため、筒状体１４ｄが穂先先端方向に移動して挿入口３０ｄが開くのを防止でき、不意に装着体１ｄが脱離するトラブルの発生を防ぐことができる。
【００５５】
また、上述した実施形態に変えて、例えば、図１６に示すように構成することもできる。すなわち、図１６の釣糸装着具は、装着体１ｅと、装着具本体１０ｅとを備えている。仕掛け糸９に備えられた装着体１ｅは、筒状に形成された筒状部１４ｅに、釣糸取付孔６ｅを有する球体７ｅが遊嵌され、筒状部内部に係止環４９が嵌挿して固定されている。筒状部１４ｅの側面には、穂先側部分を残してコ状に切取られ、軸心から離れる方向へ張出すように形成された、脱離手段としての押込み部５０と、押込み部５０が張出すことによって形成された係合部５１とが備えられている。装着具本体１０ｅは、筒形状に形成され、その外径は前記装着体１ｅの内径と同じ径であって、側面に竿尻側部分を残してコ状に切取られ、穂先側に前記係合部５１に係合する係合爪５２を形成した係止板部５３を備えている。
【００５６】
装着体１ｅを装着具本体１０ｅに装着する場合には、装着体１ｅを装着具本体１０ｅの先端が係止環４９に係止されるまで嵌挿する。すると、係合部５１に係合爪５２が係合し、装着体１ｅの装着が完了する。装着体１ｅを取外す場合には、押込み部５０を押すと、係止板部５３が内部方向へ湾曲して係合部５１から係合爪５２が脱離する。その状態を保ったまま、装着体１ｅを引き抜くと装着体１ｅを装着具本体１０ｅから取外すことができる。
【図面の簡単な説明】
【００５７】
【図１】第１実施形態に係る装着体の斜視図である。
【図２】第１実施形態に係る装着体の断面図である。
【図３】第１実施形態に係る装着具本体の斜視図である。
【図４】第１実施形態に係る釣糸装着具の斜視図である。
【図５】第2実施形態に係る装着体の斜視図である。
【図６】第2実施形態に係る装着体の断面図である。
【図７】第2実施形態に係る装着具本体の斜視図である。
【図８】第2実施形態に係る釣糸装着具の斜視図である。
【図９】一実施例を示す装着具本体の斜視図である。
【図１０】装着体装着時における図９の装着具本体の斜視図である。
【図１１】一実施例に係る装着体の斜視図である。
【図１２】一実施例に係る装着具本体の斜視図である。
【図１３】第3実施形態に係る装着体の斜視図である。
【図１４】第3実施形態に係る装着具本体の斜視図である。
【図１５】第3実施形態に係る釣糸装着具の斜視図である。
【図１６】一実施例を示す釣糸装着具の斜視図である。
【符号の説明】
【００５８】
１  装着体
４  嵌挿部
６  釣糸取付孔
９  仕掛け糸
１０  装着具本体
１２  釣竿
１３  嵌挿孔
１４  筒状体
１７  開口部